(57)【特許請求の範囲】
【請求項１】
相手方の通信装置との通信データを記憶する通信用記憶領域を含み、受信不可が解消される時間を示す関連情報を、受信不可の要因のそれぞれについて記憶する記憶部と、
相手方の通信装置からのデータの受信が可能か否かを判断し、受信不可の要因を解析して複数の要因の候補の中から現状の受信不可の要因を認定し、認定した１又は複数の要因に対応する前記関連情報を前記記憶部から取得し、取得した前記関連情報に基づき、受信不可の解消によるデータの受信が可能となるまでの受信可能時間を算出する処理部と、
ネットワークを用いてデータの送受信を行うとともに、相手方の通信装置からのデータの受信ができないとき、相手方の通信装置が再度、通信の開始要求を発信するまでの待ち時間の指示を含む通知を送信し、前記待ち時間として、前記処理部が算出した前記受信可能時間を送信する通信部と、を含み、
前記記憶部は、相手方の通信装置に送信しようとする未送信データを前記通信用記憶領域に記憶するとともに、送信がなされると未送信であったデータを前記通信用記憶領域から消去し、
前記処理部は、前記通信用記憶領域の空き容量が予め定められた容量以下となるメモリフルの状態であるときにデータの受信不可と判断し、前記現時点から前記未送信データの送信開始時間までの時間に、前記未送信データの大きさに基づき求めたデータの送信に要する所要時間を加えた時間を前記受信可能時間として算出することを特徴とする通信装置。
【請求項２】
相手方の通信装置から受信したデータに基づき印刷を行う印刷部を含み、
前記記憶部は、前記印刷部で用紙切れが生じているとき、相手方の通信装置から受信したデータを前記通信用記憶領域に記憶する一方で、印刷されたデータを前記通信用記憶領域から消去し、
前記処理部は、前記通信用記憶領域の空き容量が予め定められた容量以下となるメモリフルの状態であるときにデータの受信不可と判断し、前記記憶部に前記関連情報として記憶された用紙が補給される時間を示す補給時間情報に基づき、前記受信可能時間を算出することを特徴とする請求項１に記載の通信装置。
【請求項３】
前記記憶部は、予め定められた消去時間に、前記通信用記憶領域に保存されたデータの一部または全てを消去し、
前記処理部は、前記通信用記憶領域の空き容量が予め定められた容量以下となるメモリフルの状態であるときにデータの受信不可と判断し、前記現時点から前記消去時間までの時間を前記受信可能時間として算出することを特徴とする請求項１又は２に記載の通信装置。
【請求項４】
前記通信部が優先度の高い相手方の通信装置との送受信のジョブを優先させ、他の送受
信のジョブを実行しない優先モードであるとき、
前記処理部は、優先度が高いと設定された通信装置以外の通信装置からのデータの受信を不可と判断し、前記現時点から前記優先モードが解除されるまでの時間を前記受信可能時間として算出することを特徴とする請求項１乃至３の何れか１項に記載の通信装置。
【発明の詳細な説明】
【技術分野】
【０００１】
本発明は、ファクシミリ通信のようなデータの送受信を行う通信装置に関する。また、通信装置を含む画像形成装置に関する。
【背景技術】
【０００２】
例えば、ファクシミリ装置や、スマートフォンのような通信装置では、画像データの送受信が行われる。このようなデータの送受信では、受信側の通信装置（受信側装置）が何らかの理由により、データを受信できない状態となることがある。データを受信できない状態のとき、送信側の通信装置（送信側装置）にデータの受信不可を通知する。また、無駄な再発呼を防ぐため、受信側装置は、再度、送信側装置が通信開始の要求（リダイヤル）を行う時間を送信側装置に指示することがある。
【０００３】
そして、リダイヤルを行うべき時間を通知するファクシミリ装置の一例が特許文献１に記載されている。具体的に、特許文献１には、特定期間（夜間・休日など）の出力禁止設定（印刷出力の禁止設定）とＳＩＰをサポートし、受信動作を開始して出力禁止期間中にメモリフルになった場合、出力許可になる時間を送信側に通知する制御を行う制御手段を備えたファクシミリ装置が記載されている。この構成によれば、特定の出力禁止期間中でのメモリフルにより、メモリー受信不可となったとき、送信側の無駄な発呼を抑えようとする（特許文献１：請求項１、段落［００１２］等参照）。
【先行技術文献】
【特許文献】
【０００４】
【特許文献１】特開２００５−２３６４３８号公報
【発明の概要】
【発明が解決しようとする課題】
【０００５】
受信側装置の事情によってデータを受信できないとき（データの通信の開始不可のとき）、受信側装置は、送信側装置に受信不可を通知する。また、受信側装置は、送信側装置が再度、通信開始の要求を発信すべき時間を示す情報を受信不可の通知に付す。
【０００６】
受信側装置の受信不可の要因は様々である。例えば、受信不可の要因には、メモリフル（通信装置のデータ受信用のメモリーが満杯、または、満杯に近い状態）がある。また、受信不可の要因には、メモリフルに限られず、他の要因も存在する。
【０００７】
また、メモリフルに関しても、メモリフルを引き起こした要因や、メモリフルの状態の解消（通信用メモリー内のデータの消去）の要因は様々である。
【０００８】
しかし、従来では、例えば、メモリフルなら何秒、メモリフル以外の要因なら何秒、というように、要因を考慮すること無く、再度、通信開始の要求を発信するまでの時間が、送信側装置に通知されていた。
【０００９】
そのため、受信側装置が受信可能な状態になった後、長時間経過してから、送信側装置から再度の通信開始の要求がなされる場合がある。従って、受信不可のために受信できなかったデータを、受信可能な状態に復帰後、遅延無く受信できない場合があるという問題がある。反対に、送信側装置からみれば、受信側装置が受信可能な状態に復帰しても、指定された時間、待ち続けなければならない。通知された待ち時間が長いほど、受信不可の状態ため送信できなかったデータを、受信可能な状態に復帰後、遅延無く送信できない。そのため、送信しようとするデータが通信用のメモリーの記憶領域を占有し続ける場合があるという問題がある。
【００１０】
ここで、特許文献１に記載の技術では、出力禁止設定がされた特定期間（時間帯）でメモリフルが発生した場合、送信側装置に出力許可になる時間を通知する。しかし、特許文献１記載の技術では、特定期間以外の理由によるメモリフルの解消が考慮されていない。そのため、特定期間が終わるまでに受信可能となっても、休日開けや翌日の就業開始まで、送信側装置からデータは送信されない。従って、特許文献１記載の技術では、受信可能となってから、受信不可の状態のため受信できなかったデータが到達するまで、長時間を要する場合があるという問題がある。また、休日開けや翌日の就業開始までの長期間にわたって、送信側装置は、送信未完了のデータを保持しなければならないので、送信側装置に負担がかかり、反対に送信側装置でメモリフルが生じかねないという問題もある。
【００１１】
本発明は、上記の問題点に鑑み、複数の関連情報を勘案し、何れかの受信不可の要因解消によって受信側装置が受信可能な状態に復帰すると、受信不可のため送受信できなかったデータの送受信が遅延無く開始されるような受信可能時間（待ち時間）を送信側装置に通知することを課題とする。
【課題を解決するための手段】
【００１２】
上記課題解決のため請求項１に係る通信装置は、相手方の通信装置との通信データを記憶する通信用記憶領域を含み、受信不可が解消される時間を示す関連情報を、受信不可の要因のそれぞれについて記憶する記憶部と、相手方の通信装置からのデータの受信が可能か否かを判断し、受信不可の要因を解析して複数の要因の候補の中から現状の受信不可の要因を認定し、認定した１又は複数の要因に対応する前記関連情報を前記記憶部から取得し、取得した前記関連情報に基づき、受信不可の解消によるデータの受信が可能となるまでの受信可能時間を算出する処理部と、ネットワークを用いてデータの送受信を行うとともに、相手方の通信装置からのデータの受信ができないとき、相手方の通信装置が再度、通信の開始要求を発信するまでの待ち時間の指示を含む通知を送信し、前記待ち時間として、前記処理部が算出した前記受信可能時間を送信する通信部と、を含むこととした。
【発明の効果】
【００１３】
本発明によれば、特別な装置、機構を設けることなく、複数の関連情報を勘案し、何れかの解消理由で受信側装置が受信可能な状態に復帰すると、受信側と送信側装置間で、受信不可のため送受信できなかったデータの通信が遅延無く開始されるような受信可能時間（待ち時間）を送信側装置に通知できる。これにより、受信不可のために、通信できなかったデータは、受信不可の状態から受信可能状態に復帰すると、速やかに、遅延無く、送受信される。
【図面の簡単な説明】
【００１４】
【図１】通信システムを示す図である。
【図２】複合機の構造を示す図である。
【図３】複合機のハードウェア構成を示す図である。
【図４】通信装置を示す図である。
【図５】記憶部の構成を示す図である。
【図６】通信装置が受信可能状態での通信シーケンスを示す図である。
【図７】通信装置が一時的に受信できない状態での通信シーケンスを示す図である。
【図８】通信装置での画像データの受信の流れを示すフローチャートである。
【図９】受信不可の要因と、要因に応じて参照する関連情報を示す図である。
【図１０】（ａ）、（ｂ）は、通信用記憶領域に記憶されたファクシミリ通信で受信された画像データの自動消去設定画面を示す図である。
【図１１】タイマー送信設定画面を示す図である。
【図１２】受信可能時間の算出の流れを示す説明図である。
【発明を実施するための形態】
【００１５】
以下、本発明の実施形態を図１〜図８を用いて説明する。ここで、本説明では、本発明に係るデータの送受信を行う装置として、ファクシミリ通信機能を備えた通信装置１を例に挙げて説明する。具体的に、この通信装置１の一例として、複合機１００（画像形成装置に相当）を例に挙げて説明する。但し、本実施の形態に記載される構成、配置等の各要素は、発明の範囲を限定するものではなく単なる説明例にすぎない。
【００１６】
（通信システム１０００の概要）
まず、図１を用いて、実施形態に係る通信装置１及び複合機１００を含む通信システム１０００の概要を説明する。図１は、通信システム１０００を示す図である。
【００１７】
図１に示す通信システム１０００は、ＩＰネットワーク３００（ネットワークに相当）に接続される複合機１００（画像形成装置に相当）や、複数のＩＰファクシミリ装置２００（相手方の通信装置に相当）などで構成される。便宜上、以下の説明では、３台のＩＰファクシミリ装置２００示しているが、ＩＰファクシミリ装置２００は、２台以下でもよいし、４台以上でもよい。
【００１８】
本実施形態の複合機１００は、印刷機能、送信機能、ファクシミリ通信機能、スキャン機能など複数の機能を併せ持つ。そして、本実施形態に係る複合機１００は、ＩＰネットワーク３００と通信可能に接続される。複合機１００は、ＩＰネットワーク３００を介して、ＩＰネットワーク３００に接続された各ＩＰファクシミリ装置２００とファクシミリ通信を行える。このように、複合機１００（通信装置１）は、ＩＰファクシミリ装置２００でもある。
【００１９】
また、各ＩＰファクシミリ装置２００は、本実施形態の複合機１００と同様、印刷機能、送信機能、スキャン機能など複数の機能を併せ持つものでもよい（図１では、複合機１００と同型のＩＰファクシミリ装置２００を例示）。また、各ＩＰファクシミリ装置２００は、ファクシミリ機能のみを有する専用機でもよい。そして、いずれかのＩＰファクシミリ装置２００は、複合機１００や他のＩＰファクシミリ装置２００とファクシミリ通信を行うことができる。ファクシミリ通信で送受信されるファクシミリデータは、本実施形態の例では、画像データである。
【００２０】
尚、以下の説明では、通信を行う装置として、複合機１００、各ＩＰファクシミリ装置２００を、通信用のネットワークとしてＩＰネットワーク３００を例に挙げて説明する。しかし、データの通信（ファクシミリ通信）を行う装置は、ＩＰファクシミリ装置２００に限られず、通信路はＩＰネットワーク３００に限られない。
【００２１】
（複合機１００の概要）
次に、図２を用いて、実施形態に係る複合機１００の概要を説明する。図２は、複合機１００の構造を示す図である。
【００２２】
図２に示すように、本実施形態の複合機１００は、前面に取り付けられた操作パネル２を有する。そして、複合機１００は上部に原稿搬送部３ａと画像読取部３ｂからなる読取部３を有する。又、複合機１００は、内部に、印刷部１０として、給紙部４ａ、搬送部４ｂ、画像形成部５ａ、定着部５ｂを含む。
【００２３】
まず、操作パネル２は、複合機１００の状態や各種メッセージや設定用画面を表示する表示部２１を備える。また、表示部２１に対し、キーやボタンの表示位置がタッチされたか否かを認識するため、タッチパネル部２２が設けられる。操作パネル２は、タッチパネル部２２の出力に基づき、送信方法、送信先のアドレス、用紙のサイズ及び種類、原稿のサイズ及び種類のような送信や印刷の条件などの設定を受け付ける。
【００２４】
原稿を搬送して読み取るとき、原稿搬送部３ａは、原稿トレイに載置された原稿を１枚ずつ読取位置に向けて搬送する。画像読取部３ｂは、搬送される原稿や原稿台に載置された原稿を読み取り、原稿の画像データを生成する。
【００２５】
給紙部４ａは、複数枚の用紙を収容し、印刷のとき、用紙を送り出す。搬送部４ｂは、給紙部４ａから供給された用紙を排出トレイ４１まで搬送する。画像形成部５ａは、印刷する画像データに基づき、トナー像を形成し、用紙にトナー像を転写する。定着部５ｂは、トナー像が転写された用紙を加熱・加圧して、用紙にトナー像を定着させる。定着部５ｂを通過した用紙は、排出トレイ４１に排出される。これにより、１ページの印刷が完了する。
【００２６】
（複合機１００のハードウェア構成）
次に、図３に基づき、実施形態に係る複合機１００のハードウェア構成を説明する。図３は、複合機１００のハードウェア構成を示す図である。
【００２７】
図３に示すように、本実施形態に係る複合機１００は、主制御部６（処理部に相当）を含む。主制御部６は、複合機１００に含まれる各部を制御する。主制御部６は、ＣＰＵ６１や、印刷や送信（ファクシミリ通信を含む）に用いる画像データを生成する画像処理部６２や、その他の電子回路や素子を含む。また、主制御部６には、時間、時刻を測る計時部６３が設けられる。計時部６３は、主制御部６の制御に必要に各種時間を計時する（ＣＰＵ６１が計時を行ってもよい）。ＣＰＵ６１は、記憶部７に格納される制御プログラムや制御用データに基づき複合機１００の各部の制御や演算を行う。記憶部７は、ＲＡＭ７１、ＲＯＭ７２、ＨＤＤ７３等記憶装置の組み合わせで構成される。
【００２８】
そして、主制御部６は、用紙搬送やトナー像の形成や、転写、定着により印刷を行う印刷部１０（給紙部４ａ、搬送部４ｂ、画像形成部５ａ、定着部５ｂなど）や読取部３の動作を制御する。
【００２９】
尚、本実施形態の複合機１００の給紙部４ａには、給紙部４ａに用紙が無くなったか否か（用紙切れが生じたか否か）を検知するための用紙有無センサーＳ１が設けられる。用紙有無センサーＳ１は、例えば、光センサーであり、用紙が存在しているときと用紙が無いときとで出力が異なる。主制御部６は、用紙有無センサーＳ１の出力に基づき、用紙切れが生じたか否かを認識する。
【００３０】
又、主制御部６には、通信部１１が接続される。主制御部６は通信部１１の動作、通信処理を制御する。通信部１１は、パーソナルコンピューターやサーバーのようなコンピューター４００と通信を行うためのインターフェイスである。また、通信部１１は、ＩＰネットワーク３００を介し、各ＩＰファクシミリ装置２００とファクシミリ通信を行う。通信部１１は、ネットワークや接続ケーブルなどを介して通信を行う。
【００３１】
又、主制御部６は、操作パネル２の表示等の動作を制御する。又、主制御部６は、操作パネル２でなされた設定内容を認識しジョブの内容、設定及び実行指示を認識する。
【００３２】
通信部１１は、読取部３による原稿の読み取りに基づく画像データをコンピューター４００や各ＩＰファクシミリ装置２００に送信できる（送信機能）。各ＩＰファクシミリ装置２００に送信するとき（ファクシミリ通信の実行指示がなされたとき）、主制御部６は、操作パネル２で設定された形式のデータを生成する。そして、主制御部６は、操作パネル２で設定された送信先に生成したデータを通信部１１に送信させる。
【００３３】
また、通信部１１は、コンピューター４００からの印刷用データ（画像データや印刷設定を含む）や、各ＩＰファクシミリ装置２００からの画像データを受信する。そして、主制御部６は、受信した印刷用データや画像データに基づき印刷部１０に印刷を行わせる（プリンター機能、ファクシミリ受信機能）。
【００３４】
（通信装置１）
次に、図４を用いて、複合機１００に含まれる通信装置１を説明する。図４は、通信装置１を示す図である。
【００３５】
図４に示すように、複合機１００は、ＩＰネットワーク３００を介して相手方の各ＩＰファクシミリ装置２００と通信を行うための通信部１１を含む。
【００３６】
通信部１１は、通信制御部１１０、通信記憶部１１１、通信Ｉ／Ｆ部１１２などを含む。通信制御部１１０は、制御用のＣＰＵや演算回路などを含む。通信制御部１１０は、主制御部６の指示に基づき、ＩＰネットワーク３００を介して要求や応答やデータなどの送受信を制御する。このように、通信制御部１１０は通信部１１の動作、処理を実際に制御する。
【００３７】
通信記憶部１１１は、通信用プログラムＤ１や通信用データＤ２を記憶する。通信制御部１１０は、通信記憶部１１１に記憶される通信用プログラムＤ１や通信用データＤ２に基づき、通信に関する処理を行う。また、通信記憶部１１１は、ファクシミリによって送信するデータのバッファとして用いることができる。
【００３８】
通信Ｉ／Ｆ部１１２は、信号処理回路や、ＩＰネットワーク３００と接続するためのケーブルなどが取り付けられるコネクタ、ソケットを含むインターフェイスである。
【００３９】
ファクシミリの送信を行うとき（複合機１００が発信元となって各ＩＰファクシミリ装置２００に向けてファクシミリ通信を行うとき）、主制御部６は、原稿の読取で得られた画像データなどに基づき、ファクシミリ送信する画像データを生成する。ファクシミリ送信する画像データは、記憶部７に一時的に記憶される。また、主制御部６は、操作パネル２で設定された送信先（送信先アドレス）への画像データの送信を通信制御部１１０に指示する。
【００４０】
通信制御部１１０は、操作パネル２で設定されたファクシミリの送信先アドレスに向け、通信開始要求を通信Ｉ／Ｆ部１１２から発信させる。続いて、通信制御部１１０は、相手方のＩＰファクシミリ装置２００との所定の通信手順を通信Ｉ／Ｆ部１１２に行わせる。相手方のＩＰファクシミリ装置２００から通信許可（着信許可）を受け、ファクシミリ装置とのセッションが確立すると、通信制御部１１０は、記憶部７の画像データを順次、通信Ｉ／Ｆ部１１２から送信させる。
【００４１】
一方、ファクシミリの受信を行うとき（複合機１００が何れかのＩＰファクシミリ装置２００からファクシミリ通信を受信するとき）、通信制御部１１０は、相手方のＩＰファクシミリ装置２００と所定の通信手順を行う。そして、通信制御部１１０は、相手方のＩＰファクシミリ装置２００に通信許可を通信Ｉ／Ｆ部１１２から送信させ、相手方のファクシミリ装置とのセッションが確立させる。セッションが確立すると、通信制御部１１０は、ＩＰファクシミリ装置２００から送信された画像データを受信し、受信した画像データを順次、記憶部７に転送する。受信された画像データは、いったん記憶部７に記憶され印刷などに供される。
【００４２】
このように、複合機１００のうち、通信部１１、主制御部６、操作パネル２、記憶部７などが通信装置１として機能する。言い換えると、複合機１００は通信装置１を含む。
【００４３】
（記憶部７の構成）
次に、図５を用いて、本実施形態の通信装置１に係る記憶部７を説明する。図５は、記憶部７の構成を示す図である。
【００４４】
本実施形態の通信装置１の記憶部７は、ＲＡＭ７１、ＲＯＭ７２、ＨＤＤ７３を含む。ＲＡＭ７１は、通信用プログラムやデータやファクシミリ通信で送信する画像データや、ファクシミリ通信で受信した画像データを一時的、不揮発的に記憶する。また、ＲＯＭ７２は、主制御部６や通信部１１の起動用のプログラムやデータや、複合機１００の制御や通信装置１の制御に必要なプログラムやデータを不揮発的に記憶する。
【００４５】
更に、ＨＤＤ７３には、ファクシミリ通信で送信しようとする画像データや、ファクシミリ通信で受信した画像データを不揮発的に記憶する通信用記憶領域７４が設けられる。通信用記憶領域７４は、ＨＤＤ７３の記憶領域のうち、一部を割り当てたものである。通信用記憶領域７４は、画像データのような各ＩＰファクシミリ装置２００とのファクシミリ通信で送受信に関するデータを記憶するための記憶領域である。言い換えると、通信用記憶領域７４は、ファクシミリ通信用の記憶領域である。
【００４６】
通信用記憶領域７４のサイズは、操作パネル２への入力によって変更可能としてもよい。尚、ＨＤＤ７３の記憶領域内に通信用記憶領域７４を設けるのでは無く、フラッシュＲＯＭのような不揮発性の記憶装置を設け、フラッシュＲＯＭのような記憶装置を通信用記憶領域７４として用いてもよい。
【００４７】
また、図５に示すように、記憶部７のＨＤＤ７３には、受信不可状態が解消される時を判断するための関連情報を記憶する部分として、関連情報記憶領域７５が設けられる。関連情報記憶領域７５には、補給時間情報ｉ１（関連情報に相当）、消去時間情報ｉ２（関連情報に相当）、送信開始時間情報ｉ３（関連情報に相当）、リダイヤル時間情報ｉ４（関連情報に相当）、特定時間帯情報ｉ５（関連情報に相当）、優先モード情報ｉ６（関連情報に相当）など、複数の情報が記憶される。尚、関連情報記憶領域７５が記憶する内容は、ＲＯＭ７２、通信用記憶領域７４に記憶させてもよく、記憶部７の何れかの場所に、不揮発的に記憶される。
【００４８】
（通信装置１の通信シーケンス）
次に、図６、図７を用いて、本実施形態に係る通信装置１の通信シーケンスを説明する。図６は、通信装置１が受信可能状態での通信シーケンスを示す図である。図７は、通信装置１が一時的に受信できない状態での通信シーケンスを示す図である。
【００４９】
本実施形態の通信装置１（複合機１００）は、ＩＰネットワーク３００を介して、ファクシミリ通信を行う。そこで、以下の説明では、ＳＩＰ（Session Initiation Protocol）にのっとった通信シーケンスを説明する。
【００５０】
まず、図６を用いて、受信できる状態での通信装置１のファクシミリデータ（画像データ）の受信の流れを説明する。
【００５１】
画像データの送信をしようとするＩＰファクシミリ装置２００（送信側装置）は、複合機１００の通信部１１に向けて、ＩＮＶＩＴＥリクエストを送信する。ＩＮＶＩＴＥリクエストは、通信開始要求であって、通話要求を行い、セッションを開始、確立するためのリクエストである。
【００５２】
ＩＮＶＩＴＥリクエストを受信すると、複合機１００の通信部１１は、ＩＮＶＩＴＥリクエストに対する応答として、１００  Ｔｒｙｉｎｇ（ＩＮＶＩＴＥリクエストを受け取りに応じ、各種処理を受信側が行っていることを送信元に知らせるためのレスポンス）、１８０  Ｒｉｎｇｉｎｇ（受信側で呼び出し中であることを知らせるためのレスポンス）と、２００  ＯＫレスポンス（通話を受け付けたことを知らせるためのレスポンス）をＩＰファクシミリ装置２００に送信する。
【００５３】
そして、ＩＰファクシミリ装置２００がＯＫレスポンスに対してＡＣＫを返すことにより、複合機１００とＩＰファクシミリ装置２００とのセッションが確立される。セッションが確立されると、ＴＣＰやＵＤＰなどのデータ転送用のプロトコルに基づき、画像データがＩＰファクシミリ装置２００から複合機１００に向けて送信される。
【００５４】
画像データの送受信が完了すると、複合機１００の通信部１１は、ＢＹＥリクエストをＩＰファクシミリ装置２００に送信する。ＢＹＥリクエストに対し、ＩＰファクシミリ装置２００がＯＫのレスポンスを通信部１１に返信する。これにより、複合機１００とＩＰファクシミリ装置２００間の画像データの通信が完了する（セッション完了）。
【００５５】
次に、図７を用いて、受信側の事情によって、受信できない状態での通信装置１のファクシミリデータ（画像データ）の受信の流れを説明する。
【００５６】
画像データの送信をしようとするＩＰファクシミリ装置２００（送信側装置）は、複合機１００の通信部１１に向けて、ＩＮＶＩＴＥリクエストを送信する。ＩＮＶＩＴＥリクエストを受信すると、複合機１００の通信部１１は、ＩＮＶＩＴＥリクエストに対する応答として、１００  Ｔｒｙｉｎｇ、１８０  ＲｉｎｇｉｎｇといったレスポンスをＩＰファクシミリ装置２００に送信する。
【００５７】
通信開始要求を受けても、通信装置１が通信不可の状態であれば、通信の開始を要求しているＩＰファクシミリ装置２００と画像データの送受信を開始できない。そこで、図７に示すように、複合機１００の通信部１１は、通信開始要求を送信してきたＩＰファクシミリ装置２００にＴｅｍｐｏｒａｒｉｌｙ  Ｕｎａｖａｉｌａｂｌｅレスポンスを送信する。Ｔｅｍｐｏｒａｒｉｌｙ  Ｕｎａｖａｉｌａｂｌｅレスポンスは、一時的に利用不可であって、通信できない旨を知らせる通知である（通信不可通知）。
【００５８】
このとき、複合機１００の通信部１１は、Ｔｅｍｐｏｒａｒｉｌｙ  Ｕｎａｖａｉｌａｂｌｅレスポンス内のＲｅｔｒｙ−ａｆｔｅｒヘッダフィールドを用いて、自機が着信可能（有効）になると予測され、ＩＰファクシミリ装置２００の再度の通信開始要求を発信までの待ち時間を示す受信可能時間をＩＰファクシミリ装置２００に送信する。
【００５９】
ＩＰファクシミリ装置２００は、Ｔｅｍｐｏｒａｒｉｌｙ  Ｕｎａｖａｉｌａｂｌｅレスポンスを受けてからＲｅｔｒｙ−ａｆｔｅｒヘッダフィールドに記された受信可能時間だけ待った後、再度、通信開始要求（ＩＮＶＩＴＥリクエスト）を通信部１１に向けて送信する（リダイヤル）。
【００６０】
（ファクシミリの受信の流れ）
次に、図８を用いて、本実施形態の通信装置１（複合機１００）でのファクシミリデータ（画像データ）の受信の流れを説明する。図８は、通信装置１での画像データの受信の流れを示すフローチャートである。
【００６１】
まず、図８のスタートは、通信部１１（複合機１００）が、送信元のＩＰファクシミリ装置２００から通信開始要求（ＩＮＶＩＴＥリクエスト）を受信した時である。
【００６２】
尚、本実施形態の通信装置１の説明では、主制御部６が受信不可の判断や、受信不可の要因の解析や、要因に対応する関連情報の取得や、受信可能時間の算出を行う処理部として機能する例を説明する。しかし、通信制御部１１０のような、主制御部６以外の部分が処理部として上記の処理を行っても良い。
【００６３】
通信部１１がＩＮＶＩＴＥリクエストを受信すると、主制御部６は、ＩＰファクシミリ装置２００から画像データ（ファクシミリデータ）を受信可能であるか否かを確認する（ステップ♯１）。具体的に、主制御部６は、通信用記憶領域７４のメモリフルや、優先モードであるか否かを確認する。尚、主制御部６は、通信用記憶領域７４の空き容量が予め定められた容量以下であるとき（例えば、残容量が数％以下など）、メモリフルであると判断する。
【００６４】
具体的に、主制御部６は、メモリフルであるときや、優先モード中に通信を優先させるＩＰファクシミリ装置２００以外のＩＰファクシミリ装置２００からの受信があったとき受信不可と判断する。一方、主制御部６は、メモリフルが生じていないときや、優先モードでないとき、受信可能と判断する。
【００６５】
尚、優先モードとは、通信部１１が、優先度の高いＩＰファクシミリ装置２００との画像データの送受信のジョブ（通信）を優先させ、他のＩＰファクシミリ装置２００との送受信のジョブ（通信）を実行しないモードである。操作パネル２が、特定のＩＰファクシミリ装置２００との通信を優先させる優先モードの設定を受け付ける。操作パネル２は、通信を優先させるＩＰファクシミリ装置２００のアドレスや、優先モードを維持する時間（現時点から優先モード終了までの時間）の設定を受け付ける。そして、主制御部６は、優先モードの時間帯であるとき、優先モードであると解析する。
【００６６】
尚、主制御部６は、メモリフルや優先モード以外の他の条件に基づき、ファクシミリの受信が可能か否かを判断してもよい。例えば、印刷に関するエラーが生じている、サービスマンを呼ぶレベルのエラーの発生を主制御部６が認識したなどの条件が満たされたとき、主制御部６は、ファクシミリの受信不可と判断し、何れの条件も満たされないとき、主制御部６は、ファクシミリの受信可能と判断してもよい。この場合、主制御部６は、エラーの種類を確認する。
【００６７】
もし、通信装置１が画像データを受信できる状態であるとき（ステップ♯１のＹｅｓ）、通信部１１は、送信元のＩＰファクシミリ装置２００と通信を続ける（ステップ♯２）。そして、画像データの送受信が完了するまで、通信部１１は、ＩＰファクシミリ装置２００と通信を行う（ステップ♯３）。そして、本フローは終了する（エンド）。
【００６８】
一方、通信装置１が画像データを受信できない状態のとき（ステップ♯１のＮｏ）、主制御部６は、受信不可の要因を解析する（ステップ♯４）。そして、解析結果に基づき、要因を認定する（ステップ♯５）。そして、主制御部６は、認定した要因の解消に対応する関連情報を記憶部７から読み出す（ステップ♯６）。
【００６９】
そして、主制御部６は、取得した関連情報に基づき、現時点から通信装置１がデータの受信可能となるまでの受信可能時間を算出する（ステップ♯７）。そして、主制御部６は、通信部１１に、算出した受信可能時間を付した受信不可通知をＩＰファクシミリ装置２００に向けて送信させる（ステップ♯８）。そして、本フローは終了する。
【００７０】
受信可能時間を受信したＩＰファクシミリ装置２００は、受信可能時間を含むレスポンスの受信から、受信可能時間に定められた時間待った後、通信装置１（通信部１１）に向けて、通信開始要求を再送信することになる（リダイヤル）。
【００７１】
（受信不可の要因の解析と認識）
次に、図９を用いて、受信不可の要因の解析について説明する。図９は、受信不可の要因と、要因に応じて参照する関連情報を示す図である。
【００７２】
本実施形態の通信装置１に関し、主制御部６は、メモリフルであるか否か、優先モードであるか否かを確認する（図８のステップ♯１）。そして、主制御部６は、通信用記憶領域７４がメモリフルであるときと、通信装置１が優先モードであるとき、画像データの受信が不可と判断する。
【００７３】
メモリフルによる受信不可を引き起こす要因としては、用紙切れ、受信画像データの蓄積、未送信画像データ、印刷禁止設定などがある。そして、主制御部６は、受信不可を引き起こすメモリフルの要因を解析し、解析した要因を受信不可の要因と認識する。尚、通信装置１が優先モードであるとき、主制御部６は、優先モードを受信不可の要因と解析、認識する。
【００７４】
１．用紙切れ
まず、用紙切れについて説明する。本実施形態の複合機１００（通信装置１）では、操作パネル２は、受信した画像データを印刷すると、印刷した受信画像データを通信用記憶領域７４から消去する設定を受け付ける。この消去設定がなされていると、ＨＤＤ７３は、通信用記憶領域７４から印刷された受信画像データを削除していく。
【００７５】
しかし、給紙部４ａの用紙切れにより印刷できなければ、受信した画像データは蓄積されていく。ＨＤＤ７３の記憶領域の全てが通信用記憶領域７４として用いられるわけではなく、また、通信用記憶領域７４の大きさは有限である。そのため、大量のページ数の画像データを受信したとき、１つの受信ジョブだけで、通信用記憶領域７４の空き容量がほとんど無くなってしまう可能性もある。
【００７６】
そこで、メモリフルが生じているとき、主制御部６は、受信した画像データを印刷すると印刷した画像データを通信用記憶領域７４から消去する設定がなされていて、用紙切れが生じているか否かを解析する。用紙切れが生じていれば、主制御部６は、用紙切れをメモリフルと、メモリフルに基づく受信不可の要因と認識する。尚、主制御部６は、用紙有無センサーＳ１の出力に基づき、用紙切れが生じているか否かを判断する。（図２、図３参照）
【００７７】
２．受信画像データの蓄積
次に、受信画像データの蓄積について説明する。本実施形態の複合機１００（通信装置１）では、操作パネル２は、受信した画像データを印刷しても、印刷した受信画像データを通信用記憶領域７４から消去せず、保存する設定を受け付ける（図１０（ａ）参照）。この受信ジョブの保存設定がなされていると、印刷しても、ＨＤＤ７３は、通信用記憶領域７４から印刷された受信画像データを消去しない。
【００７８】
しかし、ファクシミリ通信で受信した画像データが消去されず蓄積されていくと、やがて、通信用記憶領域７４が、蓄積された受信画像データで埋め尽くされる可能性がある。
【００７９】
そこで、メモリフルが生じているとき、主制御部６は、印刷に供した受信画像データを通信用記憶領域７４に保存する設定がなされていて、実際に、通信用記憶領域７４に受信画像データが保存されているか否かを解析する。主制御部６は、通信用記憶領域７４に受信画像データが保存されていれば、受信画像データの蓄積をメモリフルと、メモリフルに基づく受信不可の要因と認識する。
【００８０】
３．未送信画像データ
次に、未送信画像データについて説明する。まず、操作パネル２は、ファクシミリ送信を行う時間の設定を受け付ける。このタイマー送信設定がなされていると、通信用記憶領域７４は、送信が完了するまで、送信する画像データを保持する。通信部１１は、計時部６３が経時し、タイマー設定された時間に、通信用記憶領域７４に記憶された未送信の画像データを、設定されたＩＰファクシミリ装置２００に送信する。そして、主制御部６は、通信用記憶領域７４から送信済みの画像データを消去させる。
【００８１】
また、相手方のＩＰファクシミリ装置２００から受信可能時間が通知されたとき（相手方が受信不可のとき）、通信装置１が受信可能時間だけ待った後、再度、通信開始要求を送信する（リダイヤルする）。リダイヤルは、画像データの送信が完了するまで、あるいは、予め定められた回数のリダイヤルを行うまで続けられる。そして、通信用記憶領域７４は、送信が完了するまで、送信する画像データを保持する。リダイヤル後、画像データの送信が完了すれば、主制御部６は、通信用記憶領域７４から送信済みの画像データを消去させる。
【００８２】
しかし、タイマー送信や、リダイヤル待ちでの送信ジョブの画像データは、送信完了まで通信用記憶領域７４を占有し続ける。タイマー送信しようとする画像データのページ数が大量であるとき、１つの送信待ちのジョブだけで、通信用記憶領域７４の空き容量がほとんど無くなってしまう可能性もある。
【００８３】
そこで、メモリフルが生じているとき、タイマー送信やリダイヤルのために、未送信の画像データが通信用記憶領域７４に記憶（保存）されているか否かを解析する。主制御部６は、通信用記憶領域７４に未送信の画像データが保存されていれば、主制御部６は、未送信の画像データを、メモリフルと、メモリフルに基づく受信不可の要因と認識する。
【００８４】
その他、通信用記憶領域７４のメモリフルが生ずる要因としては、特定時間帯の印刷禁止がある。印刷部１０を動作させると電力が消費される。印刷完了後、複合機１００は省電力モードとなる。しかし、画像データを受信するたびに印刷を行えば、夜間や休日など、複合機１００を使用しない時間帯での消費電力が増大してしまう。そこで、本実施形態の操作パネル２は、夜間や休日など、特定時間帯での印刷を禁止する設定を受け付ける。設定がなされると、特定時間帯に受信した画像データは、通信用記憶領域７４に保存される。特定時間帯の間に受信した画像データは、特定時間帯の終了に伴う自動的な印刷、あるいは、使用者の削除操作によって、通信用記憶領域７４から消去される。
【００８５】
特定時間帯の間は、受信した画像データが通信用記憶領域７４に蓄積されていく。受信した画像データのサイズが大きいときや、特定時間帯での受信回数が多いとき、通信用記憶領域７４が、特定期間中に受信された画像データで埋め尽くされる可能性もある。
【００８６】
そこで、メモリフルが生じているとき、主制御部６は、特定時間帯中であり、実際に、通信用記憶領域７４に、特定時間中に受信した画像データが保存されているか否かを解析する。主制御部６は、通信用記憶領域７４に特定時間中に受信した画像データが保存されていれば、特定時間帯での印刷禁止をメモリフルとメモリフルに基づく受信不可の要因と認識する。
【００８７】
このように、主制御部６は、メモリフルに関し、メモリフルを引き起こしている要因の解析を行う。主制御部６は、解析に基づき、受信不可（メモリフル）の要因を認識する。
【００８８】
（用紙切れに対応する関連情報の取得）
次に、図５、図９を用いて用紙切れに対応する関連情報の取得、読み出しを説明する。
【００８９】
本実施形態の複合機１００（通信装置１）では、操作パネル２に、就業時間に関して設定を行える。言い換えると、操作パネル２は、複合機１００の設置場所での就業時間を定義する入力を受け付ける。そして、就業時間を定義する入力内容は、記憶部７に補給時間情報ｉ１（関連情報）として記憶される（図５参照）。就業時間外で用紙が切れても、就業時間になれば、用紙が補給されると考えられ、用紙切れが解消されるはずである。用紙補給により印刷がなされ、印刷済みの画像データが消去されることにより、通信用記憶領域７４に空き領域ができる。空き領域ができることで、メモリフルが解消される。
【００９０】
そこで、主制御部６は、解析の結果、用紙切れを受信不可の要因と認識したとき、用紙切れに基づく受信不可（メモリフル）の解消に対応する関連情報として、補給時間情報ｉ１を記憶部７から読み出し、取得する。
【００９１】
（受信画像データの蓄積に対応する関連情報の取得）
次に、図９〜図１０を用いて、受信画像データの蓄積に対応する関連情報の取得、読み出しを説明する。図１０（ａ）、（ｂ）は、通信用記憶領域７４に記憶されたファクシミリ通信で受信された画像データの自動消去設定画面８１、８２を示す図である。
【００９２】
本実施形態の複合機１００（通信装置１）では、操作パネル２に、受信した画像データの消去に関する設定を行える。言い換えると、操作パネル２は、通信用記憶領域７４に保存された受信画像データを消去する時刻を定義する入力を受け付ける。図１０（ａ）、（ｂ）の画面は、操作パネル２のタッチパネル部２２に所定の操作を行うことで、表示部２１に表示させることができる。
【００９３】
図１０（ａ）は、画像データの受信から起算して、受信した画像データを消去する時を設定するための自動消去設定画面８１を示す。図１０（ａ）の自動消去設定画面８１に基づき、操作パネル２は、受信された各画像データについて、受信してから、１時間後、４時間後、１日後（２４時間後）、１週間後のうち、何れかに基づいて消去することを受け付ける。具体的に、使用者は、所望する消去時に付されたチェックボックスの表示位置をタッチし、チェックを入れることで、受信した画像データを消去する時を設定することができる。これらの設定に基づき、主制御部６は、受信した画像データを削除するため、受信した画像データとともに画像データの受信した日時、時刻を通信用記憶領域７４に記憶させる（日時、時刻は計時部６３が計時）。
【００９４】
また、図１０（ａ）の自動消去設定画面８１では、操作パネル２は、受信した画像データを自動的に消去しない設定も受け付ける。受信した画像データを自動的に消去しない設定を行うとき使用者は、「設定しない」の文字にチェックボックスの表示位置をタッチし、チェックを入れる。
【００９５】
更に、図１０（ａ）の自動消去設定画面８１では、操作パネル２は、受信した画像データを印刷したとき消去する設定も受け付ける。受信した画像データを印刷後、自動的に消去する設定を行うとき使用者は、「印刷後削除」の文字にチェックボックスの表示位置をタッチし、チェックを入れる。尚、主制御部６は、ファクシミリ通信で受信された画像データを使用者の指示によらず、自動的に印刷部１０に印刷させてもよいし、操作パネル２で使用者から印刷の指示があった画像データについてのみ印刷部１０に印刷を行わせるようにしてもよい。
【００９６】
また、図１０（ｂ）に示すように、受信した画像データを一定の時刻で全て消去する設定を行うこともできる。図１０（ｂ）の自動消去設定画面８２に基づき、操作パネル２は、通信用記憶領域７４に記憶されたファクシミリで受信された画像データを消去する時刻の設定を受け付ける。図１０（ｂ）の自動消去設定画面８２では、使用者は、プラスキーＫ１やマイナスキーＫ２などを用いて、時刻を進めたり遅らせることで、１分単位で受信した画像データを全て消去する時刻を設定できる。
【００９７】
主制御部６は、図１０（ａ）、（ｂ）の各設定画面での設定内容に基づき、計時部６３の計時により時刻、時間を確認し、設定された時間になると、受信した各画像データを消去する。
【００９８】
そして、記憶部７は、受信画像データの蓄積の要因の関連情報として、受信した画像データの消去する時間（時刻）を定義する入力内容を消去時間情報ｉ２（関連情報）として記憶する（図５参照）。主制御部６は、消去時間情報ｉ２を確認することで、通信用記憶領域７４のうち、どの受信した画像データが、どの時（時刻）で消去されるかを認識できる。そして、受信した画像データの自動的な消去により、通信用記憶領域７４に空き領域ができ、メモリフルやメモリフルに基づく受信不可が解消される可能性がある。
【００９９】
そこで、主制御部６は、解析の結果、受信画像データの蓄積を受信不可の要因と認識したとき、受信画像データの蓄積に基づく受信不可（メモリフル）の解消に対応する関連情報として、消去時間情報ｉ２を読み出し、取得する。
【０１００】
（未送信画像データに対応する関連情報の取得）
次に、図１１を用いて、未送信画像データの蓄積に対応する関連情報の取得、読み出しを説明する。図１１は、タイマー送信設定画面８３を示す図である。
【０１０１】
本実施形態の複合機１００（通信装置１）では、操作パネル２に、画像データを送信する時刻の設定を行える。言い換えると、操作パネル２は、通信用記憶領域７４に保存された送信画像データの送信を開始する時刻を定義する入力を受け付ける。
【０１０２】
図１１のタイマー送信設定画面８３は、操作パネル２のタッチパネル部２２に所定の操作を行うことで、表示部２１に表示させることができる。
【０１０３】
図１１に示すタイマー送信設定画面８３では、画像データを送信しようとする時刻の設定を行うことができる。図１１のタイマー送信設定画面８３に基づき、操作パネル２は、通信用記憶領域７４に記憶されたファクシミリで送信しようとする画像データの送信開始時刻（通信開始要求の送信開始時刻）の設定を受け付ける。図１１のタイマー送信設定画面８３では、使用者は、プラスキーＫ３やマイナスキーＫ４などを用いて、時刻を進めたり遅らせたりすることで、１分単位で送信した画像データを送信する時刻を設定できる。そして、記憶部７は、画像データの送信時刻を示す送信開始時間情報ｉ３（関連情報）を記憶する（図５参照）。
【０１０４】
また、リダイヤル待ちの画像データも、送信完了まで、通信用記憶領域７４を占有し続ける。そこで、記憶部７は、送信先のＩＰファクシミリ装置２００から通知された受信可能となる時間（時刻）を示すリダイヤル時間情報ｉ４（関連情報）も記憶する。尚、主制御部６は、受信不可のＩＰファクシミリ装置２００から通知を受けた時間に、通知に付された受信可能時間を加算することで、リダイヤルを行う時刻を示すリダイヤル時間情報ｉ４を求め、記憶部７に記憶させることができる。
【０１０５】
主制御部６は、送信開始時間情報ｉ３やリダイヤル時間情報ｉ４を確認することで、通信用記憶領域７４のうち、どの未送信の画像データが、どの時（時刻）で送信されるかを認識できる。送信完了による画像データが自動的に消去で、通信用記憶領域７４に空き領域ができ、メモリフルが解消される可能性がある。
【０１０６】
そこで、主制御部６は、解析の結果、未送信画像データを受信不可の要因と認識したとき、未送信画像データに基づく受信不可（メモリフル）の解消に対応する関連情報として、送信開始時間情報ｉ３やリダイヤル時間情報ｉ４を読み出し、取得する。
【０１０７】
（特定時間帯での印刷禁止に対応する関連情報の取得）
次に、図５を用いて、特定時間帯での印刷禁止に対応する関連情報の取得、読み出しを説明する。
【０１０８】
本実施形態の複合機１００（通信装置１）では、操作パネル２に、印刷を禁止する特定時間帯に関して設定を行える。言い換えると、操作パネル２は、印刷を禁止する特定時間帯として曜日や日時を設定する入力を受け付ける。
【０１０９】
そして、特定時間帯を定義する設定内容は、記憶部７に特定時間帯情報ｉ５として記憶される（図５参照）。特定時間帯が終了すれば、特定時間帯の間に受信した画像データの自動的な印刷などによって、画像データが消去されることにより、通信用記憶領域７４に空き領域ができる。空き領域ができることで、メモリフルが解消される可能性がある。
【０１１０】
そこで、主制御部６は、解析の結果、特定時間帯での印刷禁止を受信不可の要因と認識したとき、特定時間帯での印刷禁止に基づく受信不可（メモリフル）の解消に対応する関連情報として、特定時間帯情報ｉ５を読み出し、取得する。
【０１１１】
（優先モードに対応する関連情報の取得）
次に、図５を用いて、優先モードに対応する関連情報の取得、読み出しを説明する。
【０１１２】
本実施形態の複合機１００（通信装置１）では、操作パネル２に、優先モードに関して設定を行える。例えば、操作パネル２は、通信を優先させるＩＰファクシミリ装置２００のアドレスや、優先モードを維持する時間（現時点から優先モード終了までの時間）の設定を受け付ける。
【０１１３】
そして、優先モードに関する設定内容は、記憶部７に優先モード情報ｉ６として記憶される（図５参照）。優先モードが完了すると、特定のＩＰファクシミリ装置２００のみファクシミリ通信を行うという制限条件が解放される。言い換えると、通信優先対象以外のＩＰファクシミリ装置２００とのファクシミリ通信が可能な状態に戻り、受信不可の要因が解消される。
【０１１４】
そこで、主制御部６は、解析の結果、優先モードを受信不可の要因と認識したとき、優先モードに基づく受信不可の解消に対応する関連情報として、優先モード情報ｉ６を読み出し、取得する。
【０１１５】
（受信可能時間の算出）
次に、図１２を用いて、受信可能時間の算出について説明する。図１２は、受信可能時間の算出の流れを示す説明図である。尚、図１２は、図８のステップ♯６、ステップ♯７を詳細に示したものである。
【０１１６】
主制御部６は、メモリフルが生じているか否か、優先モードであるか否かを確認して、通信装置１（複合機１００）が画像データの受信が可能な状態であるか否かを確認する。また、主制御部６は、受信不可を引き起こしている要因を解析する。また、それぞれの要因について、記憶部７は、関連情報を記憶する。そして、主制御部６は、要因の解析結果に基づき、認定した要因に対応して、関連情報を読み出して受信可能時間（リダイヤルまでの待ち時間）を算出する。
【０１１７】
受信可能時間を算出するとき、主制御部６は、要因の解析結果に基づき、要因の関連情報を読み出す。具体的に、受信不可の要因が用紙切れと解析されたとき、主制御部６は、記憶部７から補給時間情報ｉ１を読み出す。また、受信不可の要因が受信画像データの蓄積と解析されたとき、主制御部６は、記憶部７から消去時間情報ｉ２を読み出す。また、受信不可の要因が未送信画像データ基づくと解析されたとき、主制御部６は、記憶部７から送信開始時間情報ｉ３、リダイヤル時間情報ｉ４を読み出す。また、受信不可の要因が印刷禁止設定に基づくと解析されたとき、主制御部６は、記憶部７から特定時間帯情報ｉ５を読み出す。また、受信不可の要因が優先モードと解析されたとき、主制御部６は、記憶部７のＨＤＤ７３から優先モード情報ｉ６を読み出す。
【０１１８】
そして、主制御部６は、読み出した各関連情報に基づき、要因ごとに、受信不可が解消される時を定める。例えば、受信不可の要因が、用紙切れであるとき、主制御部６は、補給時間情報ｉ１に基づき、用紙が補給される時間（就業開始時間）を受信不可が解消される時間と定める。また、受信不可の要因が受信画像データの蓄積であるとき、主制御部６は、消去時間情報ｉ２に基づき、受信画像データが消去される時を受信不可が解消される時として定める。また、受信不可の要因が未送信画像データであるとき、主制御部６は、送信開始時間情報ｉ３、リダイヤル時間情報ｉ４に基づき、未送信画像データの送信を開始する時に、未送信画像データのサイズに基づく送信に要する時間を加算した時を受信不可が解消される時として定める。また、受信不可の要因が印刷禁止設定であるとき、主制御部６は、特定時間帯情報ｉ５に基づき、印刷禁止が解除される時を受信不可が解消される時として定める。また、受信不可の要因が優先モードであるとき、主制御部６は、優先モード情報ｉ６に基づき、優先モードが解除される時を受信不可が解消される時として定める。
【０１１９】
解析の結果、受信不可の要因が複数認められたとき、主制御部６は、それぞれの要因について、関連情報の読み出しと、受信不可が解消される時を定める。
【０１２０】
そして、主制御部６は、定めた受信不可が解消される時のうち、現時点から受信不可が解消するまでの時間が最も短い時を抽出する。例えば、受信画像データの蓄積と未送信画像データの要因が存在すると解析されたとき、受信画像データ消去により受信不可が解消される時（時刻）と、未送信画像データの送信により受信不可が解消される時（時刻）を比較して、現時点から最も間近の時間を抽出する。
【０１２１】
尚、確実に受信不可が解消されている状態でリダイヤルさせるため、主制御部６は、定めた受信不可が解消されると定めた複数の時のうち、現時点から受信不可が解消するまでの時間が２番目や、３番目の時や、現時点から受信不可が解消するまでの時間が最も長い時よりも短い何れかの時を抽出するようにしてもよい。
【０１２２】
そして、主制御部６は、現時点から抽出した時（時刻）までの時間を受信可能時間として算出する。
【０１２３】
その結果、用紙切れ解消によって最も早く受信不可が解消されるとき、主制御部６は、現時点から就業開始時刻までの時間を受信可能時間と算出する。また、受信画像データの消去によって、最も早く受信不可が解消されるとき、主制御部６は、現時点から受信画像データの消去が実行される時刻までの時間を受信可能時間と算出する。また、未送信画像データの消去によって、最も早く通信装置１の受信不可が解消されるとき、現時点から送信開始時間情報ｉ３やリダイヤル時間情報ｉ４に基づく送信開始時刻に、未送信データの大きさに基づき求められる送信所要時間を加えた時刻までの時間を受信可能時間と算出する。尚、所要時間は、操作パネル２などで予め設定された通信速度や、通信部１１が計測した送信時のネットワークへのデータ送信速度に基づき、主制御部６や通信部１１が求めれば良い。また、優先モードの終了によって、最も早く受信不可が解消されるとき、主制御部６は、現時点から優先モードの終了時刻までの時間を受信可能時間と算出する。
【０１２４】
このようにして、本実施形態に係る通信装置１は、相手方の通信装置（ＩＰファクシミリ装置２００）との通信データを記憶する通信用記憶領域７４を含み、受信不可が解消される時間を示す関連情報（補給時間情報ｉ１、消去時間情報ｉ２、送信開始時間情報ｉ３、リダイヤル時間情報ｉ４、特定時間帯情報ｉ５、優先モード情報ｉ６）を受信不可の要因のそれぞれについて記憶する記憶部７と、相手方の通信装置からのデータの受信が可能か否かを判断し、受信不可の要因を解析して複数の要因の候補の中から現状の受信不可の要因を認定し、認定した１又は複数の要因に対応する関連情報を記憶部７から取得し、取得した関連情報に基づき、受信不可の解消によるデータの受信が可能となるまでの受信可能時間を算出する処理部（主制御部６）と、ネットワークを用いてデータの送受信を行うとともに、相手方の通信装置からのデータの受信ができないとき、相手方の通信装置が再度、通信の開始要求（ＩＮＶＩＴＥリクエスト）を発信するまでの待ち時間の指示を含む通知（Ｔｅｍｐｏｒａｒｉｌｙ  Ｕｎａｖａｉｌａｂｌｅレスポンス）を送信し、待ち時間として、処理部が算出した受信可能時間を送信する通信部１１と、を含むこととした。
【０１２５】
これにより、様々な要因、関連情報（補給時間情報ｉ１、消去時間情報ｉ２、送信開始時間情報ｉ３、リダイヤル時間情報ｉ４、特定時間帯情報ｉ５、優先モード情報ｉ６）を考慮して受信可能となるまでの時間を相手方の通信装置（ＩＰファクシミリ装置２００）に通知することができる。そして、受信可能な状態に戻ると、遅延無く（速やかに）、相手方の通信装置に通信開始の要求（リダイヤル）を発信させることができる。従って、受信不可のために受信できなかったデータを、受信可能な状態に復帰後に、速やかに受信することができる。このため、受信したデータに基づく処理（例えば、受注文書の処理）を速やかに開始することができる。また、受信不可の状態のため送信できなかったデータは、受信可能な状態に復帰後、速やかに送信される。このため、データの未到達が生じ難くなり、発注機会の喪失のようなトラブルが生じ難くなる。また、送信側装置の通信用のメモリーの記憶領域が長時間にわたって送信待ちのデータに占有され続けることが無くなる。そのため、送信側装置の負担を軽減することができ、送信側装置でメモリフルが生じ難くなる。
【０１２６】
また、処理部（主制御部６）は、受信不可の要因を複数認定したとき、読み出した各関連情報（補給時間情報ｉ１、消去時間情報ｉ２、送信開始時間情報ｉ３、リダイヤル時間情報ｉ４、特定時間帯情報ｉ５、優先モード情報ｉ６）に基づき、要因ごとに受信不可が解消される時を定め、定めた受信不可が解消される時のうち現時点から受信不可が解消するまでの時間が最も短い時を抽出し、現時点から抽出した時までの時間を受信可能時間として算出することとした。
【０１２７】
これにより、算出された受信可能時間は、データ受信可能となるまでの最短の時間となる。従って、受信不可のために受信できなかったデータは、可能な限り短時間のうちに受信される。また、受信不可の状態のため送信できなかったデータは、可能な限り短時間のうちに送信される。
【０１２８】
また、本実施形態に係る通信装置１は、相手方の通信装置（ＩＰファクシミリ装置２００）から受信したデータに基づき印刷を行う印刷部１０を含み、記憶部７は、印刷部１０で用紙切れが生じているとき、相手方の通信装置から受信したデータを通信用記憶領域７４に記憶する一方で、印刷されたデータを通信用記憶領域７４から消去し、処理部（主制御部６）は、通信用記憶領域７４の空き容量が予め定められた容量以下となるメモリフルの状態であるときにデータの受信不可と判断し、記憶部７に関連情報（補給時間情報ｉ１、消去時間情報ｉ２、送信開始時間情報ｉ３、リダイヤル時間情報ｉ４、特定時間帯情報ｉ５、優先モード情報ｉ６）として記憶された用紙が補給される時間を示す補給時間情報ｉ１に基づき、受信可能時間を算出することとした。
【０１２９】
これにより、用紙補給によって印刷が開始されることによって、通信用記憶領域７４の受信画像データ消去によるメモリフルが解消し、受信可能な状態に復帰した時で、送信側装置から通信開始要求がなされる。これにより、用紙補給により受信可能な状態に復帰すると、速やかに、受信不可のために受信できなかったデータの受信がなされる。
【０１３０】
また、記憶部７は、予め定められた消去時間に、通信用記憶領域７４に保存されたデータの一部または全てを消去し、処理部（主制御部６）は、通信用記憶領域７４の空き容量が予め定められた容量以下となるメモリフルの状態であるときにデータの受信不可と判断し、現時点から消去時間までの時間を受信可能時間として算出する。
【０１３１】
これにより、通信用記憶領域７４からデータが自動的に消去されることによって、通信用記憶領域７４に空きが生じてメモリフルが解消し、受信可能な状態に復帰した時で、送信側装置から通信開始要求がなされる。これにより、蓄積された受信データの消去により受信可能な状態に復帰すると、速やかに、受信不可のために受信できなかったデータの受信がなされる。
【０１３２】
また、記憶部７は、相手方の通信装置（ＩＰファクシミリ装置２００）に送信しようとする未送信データを通信用記憶領域７４に記憶するとともに、送信がなされると未送信であったデータを通信用記憶領域７４から消去し、処理部（主制御部６）は、通信用記憶領域７４の空き容量が予め定められた容量以下となるメモリフルの状態であるときにデータの受信不可と判断し、現時点から未送信データの送信開始時間までの時間に、未送信データの大きさに基づき求めたデータの送信に要する所要時間を加えた時間を受信可能時間として算出する。
【０１３３】
これにより、送信がなされた未送信データの通信用記憶領域７４からの消去によって、通信用記憶領域７４に空きが生じてメモリフルが解消し、受信可能な状態に復帰した時で、送信側装置から通信開始要求がなされる。これにより、未送信のため通信用記憶領域７４に保存されていたデータが送信されることによって受信可能な状態に復帰すると、速やかに、受信不可のために受信できなかったデータの受信がなされる。
【０１３４】
また、通信部１１が優先度の高い相手方の通信装置（ＩＰファクシミリ装置２００）との送受信のジョブを優先させ、他の送受信のジョブを実行しない優先モードであるとき、処理部（主制御部６）は、優先度が高いと設定された通信装置１以外の通信装置１からのデータの受信を不可と判断し、現時点から優先モードが解除されるまでの時間を受信可能時間として算出する。
【０１３５】
これにより、意図的な通信除外に基づく受信不可な状態から、受信可能な状態に復帰した時で、送信側装置から通信開始要求がなされる。これにより、優先モードの解除によって受信可能な状態に復帰すると、速やかに、受信不可のために受信できなかったデータの受信がなされる。
【０１３６】
また、画像形成装置（複合機１００）は、本実施形態に係る通信装置１を含む。
【０１３７】
これにより、受信可能な状態に復帰後に、速やかに受信不可のために受信できなかったデータを受信できる画像形成装置（複合機１００）を提供することができる。また、受信可能な状態に復帰後に、受信不可の状態のため送信できなかったデータを、速やかに送信側装置に送信させる画像形成装置を提供することができる。従って、相手方の負担が少なく、遅延無くデータの送受信が可能な画像形成装置を提供することができる。
【０１３８】
本実施形態の画像形成装置（複合機１００）は、上述した通信装置１を含む。この構成によれば、
【０１３９】
本発明の実施形態を説明したが、本発明の範囲はこれに限定されるものではなく、発明の主旨を逸脱しない範囲で種々の変更を加えて実施することができる。
【産業上の利用可能性】
【０１４０】
本発明はファクシミリ装置のような通信装置１や、通信装置１を含む画像形成装置に利用可能である。
【符号の説明】
【０１４１】
１００  複合機（画像形成装置）            １０    印刷部
１      通信装置                          １１    通信部
６      主制御部（処理部）                ７      記憶部
７４    通信用記憶領域
２００  ＩＰファクシミリ装置（相手方の通信装置）
３００  ＩＰネットワーク（ネットワーク）  ｉ１    補給時間情報（関連情報）
ｉ２    消去時間情報（関連情報）          ｉ３    送信開始時間情報（関連情報）
ｉ４    リダイヤル時間情報（関連情報）    ｉ５    特定時間帯情報（関連情報）
ｉ６    優先モード情報（関連情報）
【図２】
0005887313.tif 000002
【図３】
0005887313.tif 000003
【図４】
0005887313.tif 000004
【図５】
0005887313.tif 000005
【図６】
0005887313.tif 000006
【図７】
0005887313.tif 000007
【図８】
0005887313.tif 000008
【図９】
0005887313.tif 000009
【図１０】
0005887313.tif 000010
【図１１】
0005887313.tif 000011
【図１２】
0005887313.tif 000012
【図１】
0005887313.tif 000013